(57)【要約】【課題】運搬時に食器類ががたつかず、食器類の破損を防止することができる食器籠を提供する。【解決手段】上方開口状の線材から成る籠本体３と、籠本体３の上方開口部３ａから水平状のままで落とし込み状に施蓋可能な線材から成る平面状の蓋２と、蓋２を下方へ引張ることにより蓋２を介して籠本体３の内部の食器類Ｄを下方へ押圧する引張部材１を備える。引張部材１が、蓋２に係脱自在なフック４と、フック４に連設されて下方へ弾発付勢する弾発部材５を有する。【選択図】　図１
0003098277.tif 000002
【実用新案登録請求の範囲】
【請求項１】
上方開口状の線材から成る籠本体（３）と、該籠本体（３）の上方開口部（３ａ）から水平状のままで落とし込み状に施蓋可能な線材から成る平面状の蓋（２）と、該蓋（２）を下方へ引張ることにより該蓋（２）を介して上記籠本体（３）の内部の食器類（Ｄ）を下方へ押圧する引張部材（１）を備え、
該引張部材（１）が、上記蓋（２）に係脱自在なフック（４）と、該フック（４）に連設されて下方へ弾発付勢する弾発部材（５）を有することを特徴とする食器籠。
【請求項２】
上方開口状の線材から成る籠本体（３）と、該籠本体（３）の上方開口部（３ａ）から水平状のままで落とし込み状に施蓋可能な線材から成る平面状の蓋（２）と、該蓋（２）を下方へ引張ることにより該蓋（２）を介して上記籠本体（３）の内部の食器類（Ｄ）を下方へ押圧する引張部材（１）を備え、
該引張部材（１）が、上記蓋（２）に係脱自在なフック（４）と、該フック（４）に連設されて下方へ弾発付勢する弾発部材（５）と、該弾発部材（５）の下端（５ａ）に連設されて上記引張部材（１）を上記籠本体（３）に後付け自在に取付ける取付部（６）を有することを特徴とする食器籠。
【考案の詳細な説明】
【０００１】
【考案の属する技術分野】
本考案は、食器籠に関する。
【０００２】
【従来の技術】
一般に、小学校や中学校の給食に使われる食器類は、学校と給食センターとの間を毎日のように往復運搬される。つまり、食器類は、学校に於て食事を盛りつけられて使用された後、給食センターに戻され、翌日、再度、学校へと運搬される。これらの運搬時には、食器類は、上方開口状の食器籠に収納されている。
【０００３】
【考案が解決しようとする課題】
しかし、運搬は、例えばトラックにて行なわれるため、上述のような食器籠に収納された食器類の一部ががたつきにより衝撃を受けて破損していた。例えば、年間、食器類の１５％が破損していた。
【０００４】
そこで、本考案は、運搬時に、食器類ががたつかず、食器類の破損を防止することができる食器籠を提供することを目的とする。また、食器類を洗って、乾燥するときに、食器類を収納した状態で反転させるも自由自在であって、このときに食器類を割れないように安定させることができる食器籠を提供することを他の目的とする。
【０００５】
【課題を解決するための手段】
上述の目的を達成するために、本考案に係る食器籠は、上方開口状の線材から成る籠本体と、該籠本体の上方開口部から水平状のままで落とし込み状に施蓋可能な線材から成る平面状の蓋と、該蓋を下方へ引張ることにより該蓋を介して上記籠本体の内部の食器類を下方へ押圧する引張部材を備え、該引張部材が、上記蓋に係脱自在なフックと、該フックに連設されて下方へ弾発付勢する弾発部材を有するものである。
【０００６】
また、上方開口状の線材から成る籠本体と、該籠本体の上方開口部から水平状のままで落とし込み状に施蓋可能な線材から成る平面状の蓋と、該蓋を下方へ引張ることにより該蓋を介して上記籠本体の内部の食器類を下方へ押圧する引張部材を備え、該引張部材が、上記蓋に係脱自在なフックと、該フックに連設されて下方へ弾発付勢する弾発部材と、該弾発部材の下端に連設されて上記引張部材を上記籠本体に後付け自在に取付ける取付部を有するものである。
【０００７】
【考案の実施の形態】
以下、実施の形態を示す図面に基づき、本考案を詳説する。
【０００８】
図１は、本考案の実施の一形態の使用状態を示す。この食器籠は、内部に食器類Ｄ───例えば、小皿、茶碗等───を収納するためのものであって、（後述の）引張部材１によって、蓋２を介して、食器類Ｄを上方から押圧する。
【０００９】
食器籠は、上方開口状の線材から成る籠本体３と、籠本体３の上方開口部３ａから水平状のままで落とし込み状に施蓋可能な線材から成る平面状の蓋２と、蓋２を下方へ引張ることにより蓋２を介して籠本体３の内部の食器類Ｄを下方へ押圧する引張部材１を備える。上記（蓋２及び籠本体３の）線材は、具体的には、ポリアミド、ポリプロピレン等の樹脂コーティングがされたステンレス製線材であって、内部に収納される食器類Ｄを傷付けない。
【００１０】
図２は、蓋２を外した状態を示す。図３に示すように、平面視に於て、蓋２の横寸法Ｙ２　は、籠本体３の横内法寸法Ｙ３　よりも小さく設定され、かつ、蓋２の縦寸法Ｔ２　は、籠本体３の縦内法寸法Ｔ３　よりも小さく設定される。横寸法Ｙ２　、縦寸法Ｔ２　、横内法寸法Ｙ３　、縦内法寸法Ｔ３　がこのように設定されるので、蓋２は、籠本体３の上方開口部３ａから水平状のままで落とし込み状に施蓋可能であり、食器類Ｄの積み重ね高さの大小増減にスムースに対応できる（少ない食器類Ｄに対しても、上方から当接する）。
【００１１】
図１・図４に示すように、引張部材１は、蓋２に係脱自在なフック４と、フック４に連設されて下方へ弾発付勢する弾発部材５と、弾発部材５の下端５ａに連設されて引張部材１を籠本体３に後付け自在に取付ける（着脱自在な）取付部６を有する。
【００１２】
図２・図４に示すように、フック４は、籠本体３の上半部に係脱自在な正面視略倒立Ｌ字型の係止部７を有する。フック４を蓋２から離脱しているときに、係止部７を籠本体３に係止させておくと、次回、フック４を蓋２に係止させるのが容易になる。
図５は、着脱自在な取付部６を示す。取付部６は、線材を２重の環状に巻いて形成される。
【００１３】
図６は、本考案の食器籠の使用状態に於いて、食器類Ｄにはたらく力Ｆを示す。すなわち、食器類Ｄが籠本体３に収納されるとともに、取付部６が籠本体３に取付けられ、かつ、フック４が蓋２に係止された状態に於て、弾発部材５は伸長しており、弾発部材５には、復元力（弾発付勢力）Ｆ０　がはたらく。この復元力Ｆ０　によって、蓋２が下方に弾発付勢される。このとき、蓋２から食器類Ｄに下方への力Ｆが作用して、個々の食器類Ｄ相互間が密接しており、がたつき及び破損を防止できる。
【００１４】
なお、本考案は設計変更自在であって、例えば、蓋２は板部材から成るも良い。
【００１５】
【考案の効果】
本考案は、上述の如く構成されるので、次に記載する効果を奏する。
【００１６】
（請求項１，２によれば）蓋２を弾発的に下方へ引張って、食器類Ｄを上方から押圧し、蓋２と籠本体３とで挟圧状に保持するので、運搬時に、食器類Ｄががたつかず、食器類Ｄの破損を防止することができる。また、食器類Ｄを洗って、乾燥するときに、食器類Ｄを収納した状態で反転させるも自由自在であって、このときに食器類Ｄが割れないように籠本体３内に安定姿勢で保持される。
【００１７】
（請求項２によれば）引張部材１を籠本体３に後付けすることができ、至便である。
【図面の簡単な説明】
【図１】本考案の実施の一形態の使用状態を示す斜視図である。
【図２】使用状態を示す斜視図である。
【図３】簡略平面図である。
【図４】引張部材を示す斜視図である。
【図５】取付部を示す斜視図である。
【図６】力の作用状態を示す簡略断面正面図である。
【符号の説明】
１　引張部材
２　蓋
３　籠本体
３ａ　上方開口部
４　フック
５　弾発部材
５ａ　下端
６　取付部
Ｄ　食器類
【図１】
0003098277.tif 000003
【図２】
0003098277.tif 000004
【図３】
0003098277.tif 000005
【図４】
0003098277.tif 000006
【図５】
0003098277.tif 000007
【図６】
0003098277.tif 000008